(57)【要約】【課題】サインボードを起立した状態で使用するのに適したサインボード取付セットを提供すること。【解決手段】本発明のサインボード取付セットＡ１は、平板状のサインボード１と、長さ調節可能な伸縮棒状具２と、サインボード１の周縁に取り付けられる取付具３と、を備え、取付具３は、伸縮棒状具２を係止させる係止部３２を有する。【選択図】図５
2019101252.tif 000002
【特許請求の範囲】
【請求項１】
平板状のサインボードと、
長さ調節可能な伸縮棒状具と、
上記サインボードの周縁に取り付けられる取付具と、を備え、
上記取付具は、上記伸縮棒状具を係止させる係止部を有する、サインボード取付セット。
【請求項２】
上記伸縮棒状具は、地面から起立する一対の構造体の間に配置され、
上記サインボードの周縁に取り付けられ、かつ地面に弾性的に押し付けられる押圧部をさらに備える、請求項１に記載のサインボード取付セット。
【請求項３】
上記サインボードは、長矩形状とされており、
上記伸縮棒状具は、その軸線が上記サインボードの短手方向に沿う姿勢で上記係止部に係止される、請求項１または２に記載のサインボード取付セット。
【請求項４】
上記取付具は、上記サインボードの周縁のうち長手方向に沿って延びる一対の長辺部それぞれに取り付けられて対をなしており、
上記伸縮棒状具は、対をなす上記取付具に橋渡し状に係止される、請求項３に記載のサインボード取付セット。
【請求項５】
上記サインボードの周縁に装着されるチャンネル部材を備え、
上記取付具は、上記チャンネル部材に固定される、請求項１ないし４のいずれかに記載のサインボード取付セット。
【請求項６】
上記取付具は、上記チャンネル部材が嵌入可能とされた凹溝を有する、請求項５に記載のサインボード取付セット。
【請求項７】
上記サインボードは、プラスチックダンボール製の板材により構成される、請求項１ないし６のいずれかに記載のサインボード取付セット。
【発明の詳細な説明】
【技術分野】
【０００１】
本発明は、たとえば案内表示を有するサインボードを起立した状態で使用するためのサインボード取付セットに関する。
【背景技術】
【０００２】
従来、たとえば通行人に案内情報を表示するための表示装置が使用されている（たとえば、特許文献１を参照）。特許文献１に開示された表示装置は、エレベータの点検作業中に当該点検作業中である旨を表示するためのものであり、棒状体（６）と表示幕（７）とを備える。上記棒状体は、所定の長さ範囲で伸縮可能とされており、所定の長さに伸縮させた状態を保持することが可能となっている。上記表示幕は、合成樹脂シートからなり、点検中である旨の案内表示が施されている。また、表示幕は、棒状体が挿通される挿通筒部を有する。エレベータの保守点検時には、棒状体を伸長しその両端をエレベータ出入口の枠の両側面に当接させ突っ張り固定する。これにより、エレベータ出入口の前方に向けて、表示幕により点検中である旨が示される。したがって、特許文献１に記載された表示装置によれば、エレベータの利用者に対して簡単に点検中である旨を案内表示することができる。
【０００３】
その一方、通行人等に対して案内情報を表示したい場面は様々である。たとえば電車が遅延している場合においては、駅の改札口にその旨の案内情報を表示するのが望ましいが、それと併せて、改札口から駅の構内へ人が進入するのを禁止したい場合もある。特許文献１に記載された表示装置においては、上記のように表示幕が合成樹脂シートからなるため、風の影響を受けやすい。したがって、当該表示装置を駅の改札口での案内表示に用いると、電車がプラットホームに進入する際の列車風や屋外の風等の影響により、表示幕がめくれ上がり、表示幕としての機能を果たさない虞れがあった。このような使用状況を考慮すると、上記従来の表示装置は改善の余地があった。
【先行技術文献】
【特許文献】
【０００４】
【特許文献２】特開２００３−１２２５１号公報
【発明の概要】
【発明が解決しようとする課題】
【０００５】
本発明は、このような事情のもとで考え出されたものであって、サインボードを起立した状態で使用するのに適したサインボード取付セットを提供することを主たる課題とする。
【課題を解決するための手段】
【０００６】
上記の課題を解決するため、本発明では、次の技術的手段を講じている。
【０００７】
本発明によって提供されるサインボード取付セットは、平板状のサインボードと、長さ調節可能な伸縮棒状具と、上記サインボードの周縁に取り付けられる取付具と、を備え、上記取付具は、上記伸縮棒状具を係止させる係止部を有する。
【０００８】
好ましい実施の形態においては、上記伸縮棒状具は、地面から起立する一対の構造体の間に配置され、上記サインボードの周縁に取り付けられ、かつ地面に弾性的に押し付けられる押圧部をさらに備える。
【０００９】
好ましい実施の形態においては、上記サインボードは、長矩形状とされており、上記伸縮棒状具は、その軸線が上記サインボードの短手方向に沿う姿勢で上記係止部に係止される。
【００１０】
好ましい実施の形態においては、上記取付具は、上記サインボードの周縁のうち長手方向に沿って延びる一対の長辺部それぞれに取り付けられて対をなしており、上記伸縮棒状具は、対をなす上記取付具に橋渡し状に係止される。
【００１１】
好ましい実施の形態においては、上記サインボードの周縁に装着されるチャンネル部材を備え、上記取付具は、上記チャンネル部材に固定される。
【００１２】
好ましい実施の形態においては、上記取付具は、上記チャンネル部材が嵌入可能とされた凹溝を有する。
【００１３】
好ましい実施の形態においては、上記サインボードは、プラスチックダンボール製の板材により構成される。
【００１４】
本発明のその他の特徴および利点は、添付図面を参照して以下に行う詳細な説明によって、より明らかとなろう。
【図面の簡単な説明】
【００１５】
【図１】本発明に係るサインボード取付セットの一例を示す正面図である。
【図２】図１に示したサインボード取付セットの平面図である。
【図３】図１に示したサインボード取付セットの右側面図である。
【図４】図１に示したサインボード取付セットの背面図である。
【図５】図４の部分拡大図である。
【図６】図５のＶＩ−ＶＩ線に沿う部分拡大断面図である。
【図７】図３のＶＩＩ−ＶＩＩ線に沿う部分拡大断面図である。
【図８】サインボードの一例を示す斜視図である。
【図９】図１に示したサインボード取付セットの使用方法を説明するための部分拡大右側面図である。
【図１０】図１に示したサインボード取付セットを一対の構造体の間に配置した使用例を示す正面図である。
【図１１】本発明に係るサインボード取付セットの他の例を示す正面図である。
【図１２】図１１に示したサインボード取付セットを一対の構造体の間に配置した使用例を示す正面図である。
【発明を実施するための形態】
【００１６】
以下、本発明の好ましい実施の形態について、図面を参照して具体的に説明する。
【００１７】
図１〜図７は、本発明に係るサインボード取付セットの一例を示す。本実施形態のサインボード取付セットＡ１は、サインボード１と、伸縮棒状具２と、取付具３とを備え、サインボード１を起立した状態で使用するためのものである。
【００１８】
図８に示すように、サインボード１は、平板状であり、略長矩形状とされている。サインボード１は、第１面１ａと、第１面１ａの反対を向く第２面１ｂとを有する。本実施形態のサインボード１は、たとえばプラスチックダンボール、合成樹脂、あるいは発泡樹脂からなる板材により構成されており、好ましくはプラスチックダンボール製である。第１面１ａおよび第２面１ｂの少なくとも一方には、案内表示や広告などが描画されている。本実施形態においては、正面側に位置する第１面１ａに案内表示等が描画されている。なお、第１面１ａ（第２面１ｂ）に案内表示等を直接描画せずに、案内表示等が印刷されたシール等を第１面１ａ（第２面１ｂ）に貼ってもよい。
【００１９】
サインボード１がプラスチックダンボール製の長矩形状の板材からなる場合、たとえば長辺（図１において垂直方向に延びる辺）の長さが９０〜１８０ｃｍ程度であり、短辺（図１において水平方向に延びる辺）の長さが２０〜５０ｃｍ程度である。サインボード１は、定尺のプラスチックダンボール板材を適宜切断することによって得られる。
【００２０】
サインボード１の周縁には、チャンネル部材１１が装着されている。チャンネル部材１１は、断面コの字状であり、たとえばアルミニウムまたはアルミニウム合金からなる。本実施形態において、チャンネル部材１１は、サインボード１の４隅を除いた４辺の各々に装着されている。
【００２１】
伸縮棒状具２は、所定の長さ範囲で伸縮可能であって長さ調節が可能とされた、いわゆる突っ張り棒である。伸縮棒状具２は、棒状の本体部２１と、本体部２１の両端に取り付けられた一対のキャップ２２とを有する。詳細な図示説明は省略するが、本体部２１は、互いに径寸法の異なる円筒パイプが部分的に嵌挿された二重管構造であり、これら円筒パイプを軸線周りに相対回転させることで、伸縮可能な状態と、所定長さに保持した状態とを切り替えることが可能である。キャップ２２は、たとえばゴム製であり、上記本体部２１の端部に外嵌されている。これにより、キャップ２２の外径寸法は、本体部２１の外径寸法よりも大である。また、本体部２１には、たとえばコイルばねが内装されており、伸縮棒状具２の使用時には当該伸縮棒状具２の端部から軸線方向外側に向けて押圧力を付与することが可能とされている。
【００２２】
取付具３は、サインボード１の周縁に取り付けられている。本実施形態では、取付具３は、サインボード１の周縁のうち長手方向に沿って延びる一対の長辺部それぞれに取り付けられて対をなしている。詳細は後述するが、これら一対の取付具３と上記の伸縮棒状具２との協働により、サインボード１が起立した姿勢で保持される。なお、一対の取付具３は、実質的に同じ構造である。
【００２３】
図５〜図７に示すように、取付具３は、基部３１および係止部３２を有する。基部３１は、サインボード１に取り付けられる部位であり、一定方向に延びる長状である（図６参照）。基部３１には、長手方向に沿って凹溝３１１が形成されている。この凹溝３１１には、チャンネル部材１１が嵌入可能である。図７に表れているように、基部３１には、ねじ孔３１２が形成されている。ねじ孔３１２は、基部３１の外側面から凹溝３１１まで通じている。本実施形態においては、取付具３は、チャンネル部材１１を介してサインボード１に取り付けられる。取付具３をサインボード１に取り付けた状態においては、図７に示すように、凹溝３１１に、サインボード１に装着されたチャンネル部材１１が嵌入する。凹溝３１１は、開口端側（図７において図中上端側）の幅寸法がチャンネル部材１１嵌入部の幅寸法よりも小とされている。これにより、チャンネル部材１１の凹溝３１１からの脱落が防止されている。そして、基部３１のねじ孔３１２には止めねじ３３が螺合されており、ねじ締結によって、取付具３がチャンネル部材１１に固定される。なお、凹溝３１１の開口端側の幅寸法は、サインボード１の厚さに対応する寸法とされている。
【００２４】
図６に示すように、係止部３２は、基部３１の側面から延びており、この係止部３２と基部３１とにより閉じたループが形成されている。係止部３２は、挿通用開口３２１と、一対の係止溝３２２とを有する。挿通用開口３２１は、伸縮棒状具２のキャップ２２が通過可能なサイズとされている。一対の係止溝３２２は、挿通用開口３２１を間に挟んで互いに対向して設けられている。係止溝３２２は、伸縮棒状具２の本体部２１の外径寸法に対応するサイズとされている。係止溝３２２の幅寸法（図６における左右方向の寸法Ｌ１）は、挿通用開口３２１の幅寸法（同図左右方向の寸法Ｌ２）よりも小さい。なお、本実施形態において、取付具３は、たとえばポリアミドなどの所定の強度を有する合成樹脂により一体形成されている。また、図１、図４等に示した左右一対の取付具３は、左右反転した状態で取り付けられている。
【００２５】
本実施形態においては、図１に示すように、サインボード１における上側の２箇所の角部にはコーナーカバー１２が装着されており、下側の２箇所の角部にはコーナーカバー１３が装着されている。詳細な図示説明は省略するが、各コーナーカバー１２，１３は、一対の板片を有し、当該一対の板片において、互いに対向する内側面の適所には凹溝が形成されている。当該凹溝は、上記取付具３に形成された凹溝３１１と同様であり、上記凹溝に、サインボード１に装着されたチャンネル部材１１が嵌入される。
【００２６】
サインボード１へのコーナーカバー１２，１３の取り付けは、たとえばねじ締結により行う。たとえば皿小ねじなどのねじ軸部材を、各コーナーカバー１２，１３の上記一対の板片にそれぞれ形成された貫通孔、およびサインボード１に形成された貫通孔（いずれも図示略）に連通させつつ、袋ナットなどのナット部材に締め付ける。このようにして、サインボード１にコーナーカバー１２，１３が取り付けられる。
【００２７】
本実施形態においてはまた、サインボード１の下側に設けられたコーナーカバー１３には、弾性部材１３１が設けられている。弾性部材１３１は、たとえばポリウレタンフォームなどのスポンジ状合成樹脂からなり、コーナーカバー１３の下面に固定されている。弾性部材１３１が固定されたコーナーカバー１３は、本発明で言う押圧部に相当する。
【００２８】
次に、本実施形態のサインボード取付セットＡ１の使用方法および作用について、図９、図１０を参照して説明する。
【００２９】
本実施形態のサインボード取付セットＡ１は、使用前においては、保管場所の省スペース等の便宜のため、伸縮棒状具２が取付具３から分離された状態で取り扱われる。なお、チャンネル部材１１、コーナーカバー１２，１３、および取付具３は、サインボード１に予め取り付けられた状態で取り扱うことができる。
【００３０】
サインボード取付セットＡ１の使用に先立ち、まず、伸縮棒状具２を取付具３の係止部３２に係止させる。ここで、図９において仮想線で示すように、伸縮棒状具２の端部に設けられたキャップ２２を係止部３２の挿通用開口３２１に通過させて、伸縮棒状具２の本体部２１が一対の取付具３それぞれの挿通用開口３２１に挿通する状態とする。次に、本体部２１を降下させて、係止部３２において下方に位置する係止溝３２２に嵌める。
【００３１】
サインボード取付セットＡ１は、たとえば地面から起立する一対の構造体の間に配置される。図１０は、サインボード取付セットＡ１の使用例として、当該サインボード取付セットＡ１を駅の改札口ＴＧに取り付けた場合を示している。改札口ＴＧは、一対の改札機ＴＭの間に位置し、駅の利用者が通行するための通路である。
【００３２】
サインボード取付セットＡ１を使用する際、サインボード１を改札口ＴＧに配置しつつ伸縮棒状具２を下方に押し下げることで、弾性部材１３１を地面ＧＬに押し付けて圧縮させる。次いで、伸縮棒状具２を押し下げたまま当該伸縮棒状具２（本体部２１）を伸長させ、両端のキャップ２２を一対の改札機ＴＭにおける対向する両側面に当接させて、突っ張り固定する。これにより、サインボード１は、地面ＧＬ上に起立した状態で保持される。このとき、伸縮棒状具２は、左右に対をなす取付具３によって橋渡し状に係止される。また、伸縮棒状具２は、その軸線がサインボード１の短手方向に沿う姿勢で係止溝３２２（係止部３２）に係止される。
【００３３】
本実施形態のサインボード取付セットＡ１によれば、サインボード１の周縁に取り付けられる取付具３と長さ調節可能な伸縮棒状具２との協働により、平板状のサインボード１を起立させることができる。図１０に示すように、たとえばサインボード取付セットＡ１を駅の改札口ＴＧに配置すれば、起立するサインボード１により案内情報を適切に表示するとともに、改札口ＴＧから駅構内への人の進入を防止することができる。
【００３４】
また、サインボード取付セットＡ１の使用時には、上記のように平板状のサインボード１が地面ＧＬ上に起立させられる。このため、サインボード取付セットＡ１を駅の改札口ＴＧに配置する場合、電車がプラットホームに進入する際の列車風や屋外の風等が吹いたとしても、サインボード１の起立姿勢を維持することができる。したがって、サインボード取付セットＡ１は、風の影響を受ける場所での使用にも適する。
【００３５】
伸縮棒状具２は、たとえば地面ＧＬから起立する一対の改札機ＴＭ（一対の構造体）の間に配置されている。そして、サインボード１の周縁（下側の角部）には、弾性部材１３１が固定されたコーナーカバー１３が取り付けられており、当該コーナーカバー１３が地面ＧＬに弾性的に押し付けられる。このような構成によれば、上記取付具３と伸縮棒状具２との協働に加え、サインボード１に取り付けられて地面ＧＬに押し付けられるコーナーカバー１３（押圧部）の協働によって、サインボード１をより適切に起立状態で保持することができる。
【００３６】
サインボード１は垂直方向を長手方向とする長矩形状であり、取付具３は、サインボード１の周縁のうち長手方向に沿って延びる一対の長辺部それぞれに取り付けられて対をなしている。伸縮棒状具２は、その軸線がサインボード１の短手方向に沿う姿勢で取付具３の係止溝３２２（係止部３２）に係止される。そして、伸縮棒状具２は、対をなす取付具３に橋渡し状に係止される。このような構成によれば、長矩形状のサインボード１を起立した状態で安定して保持することができる。
【００３７】
本実施形態において、サインボード１の周縁にはチャンネル部材１１が装着されている。このような構成によれば、サインボード１が比較的大きなサイズである場合、当該サインボード１を適切に補強することができる。また、サインボード１が定尺の板材を切断したものである場合、切断面が露出することが防止され、安全面での改善を図ることができる。
【００３８】
図１１は、本発明に係るサインボード取付セットの他の例を示している。図１１以降の図においては、上記実施形態と同一または類似の要素には、同一の符号を付しており、適宜説明を省略する。
【００３９】
図１１に示すサインボード取付セットＡ２は、サインボード１と、伸縮棒状具２と、取付具３とを備える。本実施形態のサインボード取付セットＡ２は、２本の伸縮棒状具２を具備しており、これら伸縮棒状具２は、サインボード１の上端寄りの位置と下端寄りの位置の２箇所に配置されている。取付具３は、２本の伸縮棒状具２それぞれに対応して対をなすように設けられている。取付具３は、各伸縮棒状具２に対応するように、サインボード１の一対の長辺部それぞれに取り付けられて対をなしている。即ち、本実施形態では、対をなす取付具３が２組設けられており、サインボード取付セットＡ２は合計４個の取付具３を具備する。
【００４０】
図１２は、サインボード取付セットＡ２の使用例として、当該サインボード取付セットＡ２を駅の改札口ＴＧに取り付けた場合を示している。
【００４１】
サインボード取付セットＡ２を使用する際、サインボード１を改札口ＴＧに配置しつつ、下方に位置する伸縮棒状具２を押し下げることで、弾性部材１３１を地面ＧＬに押し付けて圧縮させる。次いで、下方に位置する伸縮棒状具２を押し下げたまま当該伸縮棒状具２（本体部２１）を伸長させ、両端のキャップ２２を一対の改札機ＴＭにおける対向する両側面に当接させて、突っ張り固定する。次いで、上方に位置する伸縮棒状具２についても、押し下げながら当該伸縮棒状具２（本体部２１）を伸長させ、両端のキャップ２２を一対の改札機ＴＭにおける対向する両側面に当接させて、突っ張り固定する。これにより、サインボード１は、地面ＧＬ上に起立した状態で保持される。このとき、２本の伸縮棒状具２は、各々が左右に対をなす取付具３によって橋渡し状に係止される。また、各伸縮棒状具２は、その軸線がサインボード１の短手方向に沿う姿勢で係止溝３２２（係止部３２）に係止される。
【００４２】
本実施形態のサインボード取付セットＡ２によれば、サインボード１の周縁に取り付けられる取付具３と長さ調節可能な伸縮棒状具２との協働により、平板状のサインボード１を起立させることができる。図１２に示すように、たとえばサインボード取付セットＡ２を駅の改札口ＴＧに配置すれば、起立するサインボード１により案内情報を適切に表示するとともに、改札口ＴＧから駅構内への人の進入を防止することができる。
【００４３】
本実施形態においては、２本の伸縮棒状具２を具備しており、これら伸縮棒状具２がそれぞれ、地面ＧＬから起立する一対の改札機ＴＭ（一対の構造体）の間に配置されている。このような構成によれば、長矩形状のサインボード１を、より安定的に起立させることができる。本実施形態のサインボード取付セットＡ２において、その他にも上記したサインボード取付セットＡ１と同様の作用効果を奏する。
【００４４】
以上、本発明の具体的な実施形態を説明したが、本発明はこれに限定されるものではなく、発明の思想から逸脱しない範囲内で種々な変更が可能である。本発明に係るサインボード取付セットの各部の具体的な構成は、種々に設計変更自在である。
【００４５】
上記実施形態において、サインボード取付セットが一対の改札機の間に配置される場合を使用例として説明したが、本発明に係るサインボード取付セットの使用例はこれに限定されず、他の様々な一対の構造体の間に配置して使用することができる。たとえば本発明に係るサインボード取付セットをビルや商業施設に配置する場合、風除室（エントランス）から入ってくる風等にも対応し、起立するサインボードにより通行人等に対して案内情報を表示することができる。
【符号の説明】
【００４６】
Ａ１，Ａ２    サインボード取付セット
ＧＬ        地面
Ｌ１，Ｌ２    寸法
ＴＧ        改札口
ＴＭ        改札機
１          サインボード
１ａ        第１面
１ｂ        第２面
１１        チャンネル部材
１２        コーナーカバー
１３        コーナーカバー（押圧部）
１３１      弾性部材
２          伸縮棒状具
２１        本体部
２２        キャップ
３          取付具
３１        基部
３１１      凹溝
３１２      ねじ孔
３２        係止部
３２１      挿通用開口
３２２      係止溝
３３        止めねじ
【図１】
2019101252.tif 000003
【図２】
2019101252.tif 000004
【図３】
2019101252.tif 000005
【図４】
2019101252.tif 000006
【図５】
2019101252.tif 000007
【図６】
2019101252.tif 000008
【図７】
2019101252.tif 000009
【図８】
2019101252.tif 000010
【図９】
2019101252.tif 000011
【図１０】
2019101252.tif 000012
【図１１】
2019101252.tif 000013
【図１２】
2019101252.tif 000014